(57)【特許請求の範囲】
【請求項１】
軒樋の前側耳部に沿ってその内側に形成された凹溝部を樋吊具の前端に形成された凸片部に係止してなる軒樋装置であって、樋吊具に対する軒樋の長手方向でのスライド移動を防止するストッパー部材を凹溝部に嵌合固定し、同ストッパー部材に機能部材保持具を着脱自在に取り付けてなる軒樋装置。
【請求項２】
凹溝部の縦断面形状がその奥方へ向かって前方上方へと略Ｌ字状に屈曲しており、ストッパー部材にはその本体部から前方上方へと略Ｌ字状に屈曲突出した凸起部を形成し、凸起部を凹溝部に挿入嵌合させてストッパー部材を固定したことを特徴とする請求項１記載の軒樋装置。
【請求項３】
ストッパー部材の本体部の略水平な上面に取付受部を形成し、同上面に対向する機能部材保持具の下面に取付部を形成し、取付部を取付受部に嵌着させて機能部材保持具を着脱自在に取り付けたことを特徴とする請求項２記載の軒樋装置。
【請求項４】
ストッパー部材を固定した状態で、その本体部の上面が軒樋の前側耳部の上端よりも低くなるように設定したことを特徴とする請求項３記載の軒樋装置。
【発明の詳細な説明】
【技術分野】
【０００１】
本願発明は、樋吊具に吊下保持された軒樋の長手方向でのスライド移動を防止するストッパー部材が備えられた軒樋装置に関するものである。
【背景技術】
【０００２】
軒樋は、通常、軒樋支持具を用いて建物の軒先に取り付けられている。この軒樋支持具として、軒樋を吊下支持する樋吊具があり、例えば、樋吊具は、夏冬の温度差による軒樋の伸縮を考慮して、軒樋の長手方向での移動が自在となるように、軒樋の前後両側の耳部を同樋吊具の前後両側の耳保持部で摺動自在に引っ掛け係止している。それ故、この樋吊具を用いて軒樋を建物の軒先に取り付ける際、既に取り付けた軒樋に作業者の手や物が当たったりして、軒樋は長手方向に移動することがある。また、取り付けた後にも、暴風雨等の際の外力によって、軒樋は長手方向に移動することがある。
【０００３】
このように、軒樋が長手方向に移動すると、軒樋は所定の位置からずれ動いて樋吊具から外れてしまうこともあり、これを防ぐために、軒樋の前側耳部付近に固定して用いられる種々のストッパー部材が提案されており、その一例として特開平１１−９３３５１号公報（特許文献１）をあげることができる。このものにあっては、軒樋の前側耳部付近に固定されたストッパー部材が樋吊具に当止されることによって、軒樋の長手方向での範囲を越えた移動が防止されるものである。
【特許文献１】特開平１１−９３３５１号公報
【発明の開示】
【発明が解決しようとする課題】
【０００４】
ところで、近年、一般住宅の軒先回りに、防犯センサー用の配線を張り巡らせたり、光ファイバーや電話線等の通信線を走らせたりすることが多くなってきており、通常、これ等の線材は軒先にそれぞれの固定手段を用いて取り付けられている。この場合、軒先に取り付けられた線材やその固定手段が外部から丸見えとなって美観が損なわれたり、その固定手段として専用の固定具を用意して軒先に取り付けなければならず、施工が困難になったりするという問題があった。
【０００５】
また、従来から、軒樋内に落ち葉が入り込んで堆積するのを防止する落ち葉避けネットが知られており、この落ち葉避けネットは専用の固定具にて軒樋の前後両側の耳部間に架設されていた。また、軒樋を補強的に支持するために、軒樋の前側耳部と軒先とを針金等の線材で連結することが行われており、軒樋の前側耳部と針金等の線材とは適宜の固定手段にて結合されていた。そして、これ等の場合も前記の場合と同様に、美観が損なわれたり施工が困難になったりするという問題があった。
【０００６】
本願発明は、このような問題を解決すべく上記背景技術に鑑みてなされたもので、その課題は、樋吊具に対する軒樋の長手方向でのスライド移動を防止するストッパー部材が好適に用いられて、配線、通信線、その他の線材や落ち葉避けネット等の機能部材が外観良く簡単に保持されるようになる軒樋装置を提供することである。
【課題を解決するための手段】
【０００７】
上記課題を解決するために、本願発明の軒樋装置では、軒樋の前側耳部に沿ってその内側に形成された凹溝部を樋吊具の前端に形成された凸片部に係止してなる軒樋装置であって、樋吊具に対する軒樋の長手方向でのスライド移動を防止するストッパー部材を凹溝部に嵌合固定し、同ストッパー部材に機能部材保持具を着脱自在に取り付けている。
【発明の効果】
【０００８】
本願発明の軒樋装置においては、軒樋が樋吊具によって吊下支持されており、この状態でストッパー部材が樋吊具に当止されることによって、軒樋の長手方向での範囲を越えたスライド移動が防止される。そして、ストッパー部材に機能部材保持具を着脱自在に取り付けているので、この機能部材保持具を用いて配線、通信線、その他の線材や落ち葉避けネット等の機能部材を必要に応じて簡単に取り付けることができ、不要なときには同機能部材保持具を邪魔にならないよう取り外しておくこともできる。しかも、軒樋の前側耳部に沿ってその内側に形成された凹溝部にストッパー部材を嵌合固定しているので、このストッパー部材は前方外側から見え難く、これに取り付けられる機能部材保持具も目立ち難くなって、機能部材を保持する部位が外観良好に納まる。
【発明を実施するための最良の形態】
【０００９】
図１〜４は、本願の請求項１〜４全てに対応した一実施形態である軒樋装置を示している。この実施形態の軒樋装置は、図１に示すように、軒樋１の前側耳部２に沿ってその内側に形成された凹溝部３を、樋吊具４の前端に形成された凸片部５に係止してなるものである。そして、この軒樋装置においては、樋吊具４に対する軒樋１の長手方向でのスライド移動を防止するストッパー部材６を前記軒樋１の凹溝部３に嵌合固定し、同ストッパー部材６に機能部材保持具７を着脱自在に取り付けている。
【００１０】
この実施形態の軒樋装置では、図４にも示すように、前記軒樋１の凹溝部３の縦断面形状がその奥方へ向かって前方上方へと略Ｌ字状に屈曲しており、ストッパー部材６にはその本体部８から前方上方へと略Ｌ字状に屈曲突出した凸起部９を形成し、凸起部９を凹溝部３に挿入嵌合させてストッパー部材６を固定している。この場合、図２〜４に示すように、ストッパー部材６の本体部８の略水平な上面８１に取付受部１０を形成し、同上面８１に対向する機能部材保持具７の下面７１に取付部１１を形成し、取付部１１を取付受部１０に引っ掛け嵌着させて機能部材保持具７を着脱自在に取り付けている。また、図４に示すように、ストッパー部材６を固定した状態で、その本体部８の上面８１が軒樋１の前側耳部２の上端よりも低くなるように設定している。
【００１１】
以下、この実施形態の軒樋装置を、より具体的詳細に説明する。図１に示すように、軒樋１は上方に開口した溝型で、底板部１ａとその前後端で立ち上がる前板部１ｂ、後板部１ｃとでなり、合成樹脂で一体に押出成形されたり、金属板材に折曲加工が施される等して形成されたものである。軒樋１の前板部１ｂ及び後板部１ｃの上端には各々中空状の前側耳部２、後側耳部１２が一体に形成されており、前側耳部２が後方へ倒れるように同前板部１ｂの上端部分が折曲していることで、その内側に凹溝部３が形成されている。そのため、この凹溝部３は縦断面において、その奥方へ向かって前方上方へと略Ｌ字状に屈曲した形状となっている。
【００１２】
樋吊具４は合成樹脂、金属等で形成され、その後端部分が建物の軒先（図示せず）に固定されて、前記軒樋１を吊下支持するものである。樋吊具４の前端部分は帯板状でその先端に上方へ折曲した凸片部５が形成されており、この凸片部５は略Ｌ字状に屈曲した形状でこれに前記軒樋１の凹溝部３が引っ掛け係止される。樋吊具４の後部には略Ｌ字状に屈曲垂下した後耳保持部１３が形成されており、この後耳保持部１３に後側耳部１２が係合されると共に、前記凸片部５に凹溝部３が引っ掛け係止されることによって、軒樋１は樋吊具４で吊下支持される。
【００１３】
前記樋吊具４に近接した位置において、軒樋１の凹溝部３にストッパー部材６が嵌合固定される。この場合、ストッパー部材６の後述する凸起部９が凹溝部３に差し込まれるように嵌合され、接着剤によって強固に固定される。この状態で、図１に示すように、軒樋１がＸ方向にずれ動こうとしても、ストッパー部材６が樋吊具４の前端部分に当止するので、軒樋１はスライド移動することができない。そして、必要に応じてストッパー部材６に機能部材保持具７が取り付けられ、この機能部材保持具７には落ち葉避けネットである機能部材（図示せず）が取り付け保持される。
【００１４】
ストッパー部材６は合成樹脂でなり、図２に示すように、中程の本体部８に上方へ開口した溝状スペース１０ａが設けられ、この溝状スペース１０ａの開口略中央に開口両側縁間を連結する架橋片１０ｂが設けられることによって、同本体部８の略水平な上面８１には取付受部１０が形成されている。また、図４（ａ）に示すように、ストッパー部材６が前記軒樋１の凹溝部３に嵌合固定された状態で、その本体部８の上面８１は軒樋１の前側耳部２の上端よりも低くなるように設定されている。
【００１５】
そして、ストッパー部材６の前記取付受部１０には、図４（ｂ）に示すように、機能部材保持具７の後述する取付部１１が嵌着され、同ストッパー部材６の本体部８の上面８１に機能部材保持具７は着脱自在に取り付けられる。この場合、前記のように、ストッパー部材６の本体部８の上面８１が軒樋１の前側耳部２の上端よりも低くなっているので、機能部材保持具７は軒樋１の前下方外側から見え難くなる。また、ストッパー部材６の本体部８の前後両側には形状の相違する凸起部９（９ａ、９ｂ）が配設されており、いずれの凸起部９ａ、９ｂも本体部８から略Ｌ字状に屈曲突出している。
【００１６】
この場合は、図４（ｂ）に示すように、本体部８から前方上方へと略Ｌ字状に屈曲突出する凸起部９ａを前記軒樋１の凹溝部３に挿入嵌合させてストッパー部材６を固定しているが、異なる種類の軒樋１に対応する場合、図５に示すように、同ストッパー部材６を前後に反転させて用いることもできる。この場合は、ストッパー部材６が前後に逆となるので、前記とは反対側の凸起部９ｂが本体部８から前方上方へと略Ｌ字状に屈曲突出することになり、この凸起部９ｂを軒樋１の凹溝部３に挿入嵌合させてストッパー部材６を固定することができ、このストッパー部材６にも機能部材保持具７は前記と同じ向きにして着脱自在に取り付けられる。
【００１７】
機能部材保持具７は合成樹脂でなり、図３、４（ｂ）に示すように、略水平な基板部７ａと、基板部７ａの一端縁から突出する傾斜板部７ｂと、基板部７ａと傾斜板部７ｂとを両者の中程間で結合する縦リブ板部７ｃと、を備えている。基板部７ａの下面７１は前記ストッパー部材６の本体部８の上面８１に対向し、機能部材保持具７の同下面７１に取付部１１が形成されている。この場合、取付部１１は対のフック状片１１ａを対向するように垂下して形成され、両フック状片１１ａが前記ストッパー部材６の本体部８の溝状スペース１０ａ開口に挿入嵌合されて架橋片１０ｂに挟持係止されることで、同取付部１１は前記ストッパー部材６の上面８１の取付受部１０に着脱自在に嵌着される。
【００１８】
また、機能部材保持具７の前記傾斜板部７ｂの傾斜した上面には、保持用フック片１４が突設されると共に、この保持用フック片１４の先端部分に対向して引っ掛け凸起１５が形成されている。この場合、落ち葉避けネットである機能部材（図示せず）は、その前端付近が機能部材保持具７の保持用フック片１４と引っ掛け凸起１５との間に差し込まれて係着され、同落ち葉避けネットである機能部材（図示せず）の後端付近は、図１に示すように、樋吊具４の後部上に突設される保持用折曲片１６に係着されて、軒樋１の上方開口を覆うように取り付けられる。
【００１９】
したがって、この実施形態の軒樋装置においては、軒樋１が樋吊具４によって吊下支持されており、この状態でストッパー部材６が樋吊具４の前端部分に当止されることによって、軒樋１の長手方向での範囲を越えたスライド移動が防止される。そして、ストッパー部材６に機能部材保持具７を着脱自在に取り付けているので、この機能部材保持具７を用いて落ち葉避けネットである機能部材（図示せず）を必要に応じて簡単に取り付けることができ、不要なときには同落ち葉避けネットである機能部材（図示せず）と共に、機能部材保持具７を邪魔にならないよう取り外しておくこともできる。
【００２０】
しかも、軒樋１の前側耳部２に沿ってその内側に形成された凹溝部３にストッパー部材６を嵌合固定しているので、このストッパー部材６は前方外側から見え難く、これに取り付けられる機能部材保持具７も目立ち難くなって、落ち葉避けネットである機能部材（図示せず）を保持する軒樋１の前側部位が外観良好に納まる。
【００２１】
また、この実施形態の軒樋装置においては、軒樋１の凹溝部３の縦断面形状がその奥方へ向かって前方上方へと略Ｌ字状に屈曲しており、ストッパー部材６にはその本体部８から前方上方へと略Ｌ字状に屈曲突出した凸起部９が形成されて、この凸起部９が凹溝部３に挿入嵌合されるので、ストッパー部材６は軒樋１に対して確実に嵌合固定されるものでありながら、その着脱作業が容易なものとなる。
【００２２】
また、この場合に、ストッパー部材６の本体部８の略水平な上面８１に取付受部１０が形成され、同上面８１に対向する機能部材保持具７の下面７１に取付部１１が形成されており、ストッパー部材６の本体部８の略水平な上面８１に機能部材保持具７の下面７１が当接支持された状態で、その中程において取付部１１は取付受部１０に嵌着され、そのため、機能部材保持具７はストッパー部材６に対してぐらつかず安定した状態で確実に取り付け固定される。
【００２３】
更に、この場合、ストッパー部材６を固定した状態で、その本体部８の上面８１が軒樋１の前側耳部２の上端よりも低くなるように設定されているので、ストッパー部材６と共に機能部材保持具７も軒樋１の前下方外側から見え難くなって、落ち葉避けネットである機能部材（図示せず）を保持する軒樋１の前側部位はより外観良好に納まる。また、ストッパー部材６の本体部８の上面８１に形成された開口（この実施形態では溝状スペース１０ａの開口、後記実施形態では長孔１０ｄ）は、同上面８１に溜まる雨水を軒樋１内へと排水する水抜き孔の役目を果たす。
【００２４】
図６、７は、本願の請求項１〜４全てに対応した別の実施形態である軒樋装置を示している。この実施形態の軒樋装置では、図６に示すように、ストッパー部材６の本体部８に中空スペース１０ｃが設けられ、この中空スペース１０ｃに貫通する長孔１０ｄが同本体部８の上面８１に開口されることによって、この本体部８の略水平な上面８１には取付受部１０が形成されている。
【００２５】
また、図７に示すように、機能部材保持具７は略水平な基板部７ａを備え、この基板部７ａの下面７１が前記ストッパー部材６の本体部８の上面８１に対向し、機能部材保持具７の同下面７１に略逆Ｔ字状の取付部１１が垂下して形成されている。この場合、略逆Ｔ字状の取付部１１が前記ストッパー部材６の本体部８上面８１の長孔１０ｄから中空スペース１０ｃ内に挿入され、略９０度回動されることで、同取付部１１は前記ストッパー部材６の上面８１の取付受部１０に着脱自在に嵌着される。
【００２６】
そして、機能部材保持具７の前記基板部７ａの上面には、一部切欠開口した保持用リング片１７が突設されている。この場合、機能部材保持具７に取り付け保持される機能部材（図示せず）は、防犯センサー用の配線、光ファイバーや電話線等の通信線、その他、電飾線、融雪線等の線材であり、機能部材保持具７の保持用リング片１７内にその開口部分から差し入れられて係合される。なお、それ以外は、上記実施形態と同様に構成されており、上記実施形態におけると同様の作用効果が奏される。
【００２７】
また、本願発明として上記いずれの実施形態においても、軒樋１を補強的に支持するために、軒樋１の前側耳部２と軒先（図示せず）とが針金等の線材（図示せず）で連結されてもよい。この場合、針金等の線材（図示せず）を機能部材保持具７に取り付け保持される機能部材（図示せず）とし、この線材（図示せず）を機能部材保持具７の保持用フック片１４と引っ掛け凸起１５との間（図１〜５）、或いは、機能部材保持具７の保持用リング片１７内（図６、７）に係着させることができる。
【図面の簡単な説明】
【００２８】
【図１】本願発明の一実施形態である軒樋装置の施工状態の全体を示す斜視図。
【図２】同軒樋装置のストッパー部材を示す斜視図。
【図３】同軒樋装置の機能部材保持具を示す斜視図。
【図４】同軒樋装置の施工状態の要部を示す断面図であり、（ａ）は機能部材保持具が取り外された状態、（ｂ）は機能部材保持具が取り付けられた状態。
【図５】同軒樋装置の軒樋が異なる施工状態の要部を示す断面図。
【図６】別の実施形態である軒樋装置のストッパー部材を示す斜視図。
【図７】同軒樋装置の機能部材保持具を示す斜視図。
【符号の説明】
【００２９】
１  軒樋
２  前側耳部
３  凹溝部
４  樋吊具
５  凸片部
６  ストッパー部材
７  機能部材保持具
７１  下面
８  本体部
８１  上面
９（９ａ、９ｂ）  凸起部
１０  取付受部
１１  取付部
【図１】
0004534929.tif 000002
【図２】
0004534929.tif 000003
【図３】
0004534929.tif 000004
【図４】
0004534929.tif 000005
【図５】
0004534929.tif 000006
【図６】
0004534929.tif 000007
【図７】
0004534929.tif 000008